(57)【要約】【課題】肌側から見たときに、正しい順序で吸収性物品を着用させやすくすることができる吸収性物品を提供する。【解決手段】前胴回り部（３０）と後胴回り部（２０）と股下部（１０）とを備えた吸収性物品（１）であって、横方向において、一方側には、前胴回り部（３０）の端部と後胴回り部（２０）の端部とが接合された接合部（１ｂ）と、環状の一方側脚回り開口部（ＨＬ１）が設けられており、他方側には、後胴回り部（２０）の端部に設けられ、前胴回り部（３０）に係止可能な係止部（４０）と、係止部（４０）が前胴回り部（３０）に係止されることによって環状となる他方側脚回り開口部（ＨＬ２）が設けられており、係止部（４０）が前胴回り部（３０）に係止される前に着用者の一方側の脚を一方側脚回り開口部（ＨＬ１）に通すことを誘導するための印（１Ｍ）が、一方側に設けられている。【選択図】図１
2018068898.tif 000002
【特許請求の範囲】
【請求項１】
縦方向と、前記縦方向と交差する横方向と、前記縦方向及び前記横方向と交差する前後方向を有し、
前記横方向に沿った前胴回り部と、
前記横方向に沿った後胴回り部と、
前記前胴回り部と前記後胴回り部との間に設けられた股下部と、
を備えた吸収性物品であって、
前記横方向において、
一方側には、
前記前胴回り部の端部と前記後胴回り部の端部とが接合された接合部と、
環状の一方側脚回り開口部が設けられており、
他方側には、
前記後胴回り部の端部に設けられ、前記前胴回り部に係止可能な係止部と、
前記係止部が前記前胴回り部に係止されることによって環状となる他方側脚回り開口部が設けられており、
前記係止部が前記前胴回り部に係止される前に着用者の一方側の脚を前記一方側脚回り開口部に通すことを誘導するための印が、前記一方側に設けられていることを特徴とする吸収性物品。
【請求項２】
請求項１に記載の吸収性物品において、
前記印が、前記一方側脚回り開口部の周囲に設けられていることを特徴とする吸収性物品。
【請求項３】
請求項１又は２に記載の吸収性物品において、
前記印が数字であることを特徴とする吸収性物品。
【請求項４】
請求項１から３のいずれか１項に記載の吸収性物品において、
胴回り開口部を有しており、
股下側から前記胴回り開口部の側を指す上矢印が設けられていることを特徴とする吸収性物品。
【請求項５】
請求項４に記載の吸収性物品において、
前記上矢印は、前記印の少なくとも一部と重なっていることを特徴とする吸収性物品。
【請求項６】
請求項１から５のいずれか１項に記載の吸収性物品において、
前記印は、第１の印であり、
前記係止部に、前記係止部を前記前胴回り部に係止することを誘導するための第２の印が設けられていることを特徴とする吸収性物品。
【請求項７】
請求項６に記載の吸収性物品において、
前記第１の印及び前記第２の印は数字であり、
前記第１の印の数字が示す数より前記第２の印の数字が示す数の方が大きいことを特徴とする吸収性物品。
【請求項８】
請求項６又は７に記載の吸収性物品において、
前記係止部が前記前胴回り部の所定位置に係止されることによって予め定められた周長を有する環状の胴回り開口部が形成され、
前記前胴回り部の前記所定位置に前記係止部を係止する際に、前記第２の印を重ね合わせる第３の印が、前記前胴回り部に設けられていることを特徴とする吸収性物品。
【請求項９】
請求項８に記載の吸収性物品において、
前記第１の印は、第１の数字であり、
前記第３の印は、前記第１の数字とは異なる第２の数字であり、
前記第１の数字は、前記前胴回り部の前記一方側にのみ設けられており、
前記第３の印は、前記前胴回り部の前記他方側にのみ設けられていることを特徴とする吸収性物品。
【請求項１０】
請求項１から９のいずれか１項に記載の吸収性物品において、
前記後胴回り部の前記端部の側から前記係止部の先端の側を指す横矢印が、前記係止部に設けられていることを特徴とする吸収性物品。
【請求項１１】
請求項１から１０のいずれか１項に記載の吸収性物品において、
前記係止部が前記前胴回り部の所定位置に係止されることによって予め定められた周長を有する環状の胴回り開口部が形成され、
前記前胴回り部の前記所定位置には、前記係止部を係止すべき位置に誘導する表示がされており、
前記係止部を係止すべき位置に誘導する表示は、前記係止部の外形形状の少なくとも一部を表したものであることを特徴とする吸収性物品。
【請求項１２】
請求項１から１１のいずれか１項に記載の吸収性物品において、
前記前胴回り部は、前記係止部が係止される係止部材を備えており、
前記係止部には、前記係止部材の位置に前記係止部を誘導するための第４の印が設けられていることを特徴とする吸収性物品。
【請求項１３】
請求項１２に記載の吸収性物品において、
前記係止部は不織布であり、
前記第４の印は、肌面側に設けられており、
前記第４の印は、非肌面側からも視認可能であることを特徴とする吸収性物品。
【請求項１４】
請求項１から１３のいずれか１項に記載の吸収性物品において、
前記後胴回り部の少なくとも上端部には、前記横方向に沿った弾性部材が設けられた弾性領域を有しており、
前記横方向において、
前記弾性領域の、前記一方側の端と、前記股下部の中央との距離が、
前記弾性領域の、前記他方側の端と、前記股下部の中央との距離より小さく、
前記股下部の中央部に沿った中央線が、前側から見て視認することができる領域の少なくとも一部に設けられていることを特徴とする吸収性物品。
【発明の詳細な説明】
【技術分野】
【０００１】
本発明は、吸収性物品に関する。
【背景技術】
【０００２】
従来、排泄物を吸収する吸収性物品として所謂テープ型おむつやパンツ型おむつの使い捨ておむつが知られている。このテープ型おむつやパンツ型おむつが有する、バタつく乳幼児に履かせるのが難しいことや、着用時に無理な姿勢を強いてしまうという問題を解消するため、特許文献１には、ウエスト部７のうち、左右方向の一方側の側部５Ｄを接合してレッグホール１１を形成されており、他方側のテープファスナー６を被着領域８に止めることで、着用させることができる使い捨ておむつ１が記載されている。
【先行技術文献】
【特許文献】
【０００３】
【特許文献１】実開平４−５８２６号公報
【発明の概要】
【発明が解決しようとする課題】
【０００４】
しかし、上記特許文献１の使い捨ておむつ１は左右方向の一方側がパンツ型のおむつの形状で、他方側がテープ型のおむつの形状を有しており、通常のパンツ型のおむつやテープ型のおむつのように、使用方法が広く知られていない。そのため、ウエスト部７とレッグホール１１を混同して、誤ってレッグホール１１に着用者の胴回りを通そうとしたり、テープファスナー６を被着領域８に止めてから着用者の一方側及び他方側の脚を通したりする等の誤った着用方法を招く恐れを生じていた。誤った着用方法で使い捨ておむつ１を使用すると排泄物が漏れてしまったり、着用者に違和感を生じさせてしまったりするという問題を生じる。
【０００５】
本発明は、上記のような問題に鑑みてなされたものであって、正しい順序で吸収性物品を着用させやすくすることができる吸収性物品を提供することを目的とする。
【課題を解決するための手段】
【０００６】
上記目的を達成するための主たる発明は、縦方向と、前記縦方向と交差する横方向と、前記縦方向及び前記横方向と交差する前後方向を有し、前記横方向に沿った前胴回り部と、前記横方向に沿った後胴回り部と、前記前胴回り部と前記後胴回り部との間に設けられた股下部と、を備えた吸収性物品であって、前記横方向において、一方側には、前記前胴回り部の端部と前記後胴回り部の端部とが接合された接合部と、環状の一方側脚回り開口部が設けられており、他方側には、前記後胴回り部の端部に設けられ、前記前胴回り部に係止可能な係止部と、前記係止部が前記前胴回り部に係止されることによって環状となる他方側脚回り開口部が設けられており、前記係止部が前記前胴回り部に係止される前に着用者の一方側の脚を前記一方側脚回り開口部に通すことを誘導するための印が、前記一方側に設けられていることを特徴とする吸収性物品である。  
本発明の他の特徴については、本明細書及び添付図面の記載により明らかにする。
【発明の効果】
【０００７】
本発明によれば、横方向における一方側がパンツ型の吸収性物品の形状で、他方側がテープ型の吸収性物品の形状の場合に、着用方法がわからなくなってしまう恐れを軽減し、正しい順序で吸収性物品を着用させやすくすることができる。
【図面の簡単な説明】
【０００８】
【図１】図１は、本実施形態に係る使い捨ておむつ１の概略斜視図である。
【図２】図２は、展開かつ伸長状態のおむつ１を着用者の非肌側から見た概略平面図である。
【図３】図３は、弾性領域Ｘ、Ｙについて説明する図である。
【図４】図４Ａは、一方側の脚を入れて上側に引き上げた状態を説明する図である。図４Ｂは、係止部４０を横方向に引っ張った状態を説明する図である。図４Ｃは、おむつ１を着用した着用状態を説明する図である。
【図５】図５は、別の実施形態のおむつ１００を説明する図である。
【図６】図６は、別の実施形態のおむつ２００を説明する図である。
【発明を実施するための形態】
【０００９】
本明細書及び添付図面の記載により、少なくとも以下の事項が明らかとなる。  
縦方向と、前記縦方向と交差する横方向と、前記縦方向及び前記横方向と交差する前後方向を有し、前記横方向に沿った前胴回り部と、前記横方向に沿った後胴回り部と、前記前胴回り部と前記後胴回り部との間に設けられた股下部と、を備えた吸収性物品であって、前記横方向において、一方側には、前記前胴回り部の端部と前記後胴回り部の端部とが接合された接合部と、環状の一方側脚回り開口部が設けられており、他方側には、前記後胴回り部の端部に設けられ、前記前胴回り部に係止可能な係止部と、前記係止部が前記前胴回り部に係止されることによって環状となる他方側脚回り開口部が設けられており、前記係止部が前記前胴回り部に係止される前に着用者の一方側の脚を前記一方側脚回り開口部に通すことを誘導するための印が、前記一方側に設けられていることを特徴とする吸収性物品である。
【００１０】
このような吸収性物品によれば、横方向における一方側がパンツ型の吸収性物品の形状で、他方側がテープ型の吸収性物品の形状の場合に、着用方法がわからなくなってしまう恐れを軽減し、正しい順序で吸収性物品を着用させやすくすることができる。
【００１１】
かかる吸収性物品であって、前記印が、前記一方側脚回り開口部の周囲に設けられていることが望ましい。
【００１２】
このような吸収性物品によれば、着用者の脚を一方側脚回り開口部に通すことを認識しやすくなるため、正しい順序で吸収性物品を着用させやすくすることができる。
【００１３】
かかる吸収性物品であって、前記印が数字であることが望ましい。
【００１４】
このような吸収性物品によれば、着用者の脚を一方側脚回り開口部に通す順番を示す数字によって、正しい順序で吸収性物品を着用させやすくなる。
【００１５】
かかる吸収性物品であって、胴回り開口部を有しており、股下側から前記胴回り開口部の側を指す上矢印が設けられていることが望ましい。
【００１６】
このような吸収性物品によれば、着用手順に加えて、着用する際の引き上げ方向を認識しやすくすることができる。
【００１７】
かかる吸収性物品であって、前記上矢印は、前記印の少なくとも一部と重なっていることが望ましい。
【００１８】
このような吸収性物品によれば、着用手順と着用方向を一緒に確認することができるため、着用方法を認識しやすくなる。
【００１９】
かかる吸収性物品であって、前記印は、第１の印であり、前記係止部に、前記係止部を前記前胴回り部に係止することを誘導するための第２の印が設けられていることが望ましい。
【００２０】
このような吸収性物品によれば、正しい順序での着用方法をより認識しやすくなる。
【００２１】
かかる吸収性物品であって、前記第１の印及び前記第２の印は数字であり、前記第１の印の数字が示す数より前記第２の印の数字が示す数の方が大きいことが望ましい。
【００２２】
このような吸収性物品によれば、正しい順序での着用方法をより認識しやすくなる。
【００２３】
かかる吸収性物品であって、前記係止部が前記前胴回り部の所定位置に係止されることによって予め定められた周長を有する環状の胴回り開口部が形成され、前記前胴回り部の前記所定位置に前記係止部を係止する際に、前記第２の印を重ね合わせる第３の印が、前記前胴回り部に設けられていることが望ましい。
【００２４】
このような吸収性物品によれば、係止部を係止すべき位置を認識しやすくなるため、係止部を正しい位置に係止させやすくなり、吸収性物品を正しく着用させやすくなる。
【００２５】
かかる吸収性物品であって、前記第１の印は、第１の数字であり、前記第３の印は、前記第１の数字とは異なる第２の数字であり、前記第１の数字は、前記前胴回り部の前記一方側にのみ設けられており、前記第３の印は、前記前胴回り部の前記他方側にのみ設けられていることが望ましい。
【００２６】
このような吸収性物品によれば、前胴回り部の一方側と他方側に異なる数字の第１の印と第２の印が設けられていることで、一方側について行う動作と、他方側について行う動作が異なることを認識させやすくなる。
【００２７】
かかる吸収性物品であって、前記後胴回り部の前記端部の側から前記係止部の先端の側を指す横矢印が、前記係止部に設けられていることが望ましい。
【００２８】
このような吸収性物品によれば、横矢印に示す方向に係止部に引っ張りながら、第２の印の誘導に従って係止部を前胴回り部に係止することで、吸収性物品をより正しく着用させることができる。
【００２９】
かかる吸収性物品であって、前記係止部が前記前胴回り部の所定位置に係止されることによって予め定められた周長を有する環状の胴回り開口部が形成され、前記前胴回り部の前記所定位置には、前記係止部を係止すべき位置に誘導する表示がされており、前記係止部を係止すべき位置に誘導する表示は、前記係止部の外形形状の少なくとも一部を表したものであることが望ましい。
【００３０】
このような吸収性物品によれば、係止部を係止すべき位置を認識しやすくなるため、係止部を正しい位置に係止させやすくなり、吸収性物品を正しく着用させやすくなる。
【００３１】
かかる吸収性物品であって、前記前胴回り部は、前記係止部が係止される係止部材を備えており、前記係止部には、前記係止部材の位置に前記係止部を誘導するための第４の印が設けられていることが望ましい。
【００３２】
このような吸収性物品によれば、着用時において係止部材の位置を認識しやすくなるため、係止部を正しい位置に係止させやすくなり、吸収性物品を正しく着用させやすくなる。
【００３３】
かかる吸収性物品であって、前記係止部は不織布であり、前記第４の印は、肌面側に設けられており、前記第４の印は、非肌面側からも視認可能であることが望ましい。
【００３４】
このような吸収性物品によれば、第４の印を非肌面側からも視認することができるため、前胴回り部の正しい位置に係止部を係止させやすくなる。
【００３５】
かかる吸収性物品であって、前記後胴回り部の少なくとも上端部には、前記横方向に沿った弾性部材が設けられた弾性領域を有しており、前記横方向において、前記弾性領域の、前記一方側の端と、前記股下部の中央との距離が、前記弾性領域の、前記他方側の端と、前記股下部の中央との距離より小さく、前記股下部の中央部に沿った中央線が、前側から見て視認することができる領域の少なくとも一部に設けられていることが望ましい。
【００３６】
このような吸収性物品によれば、左右非対称の吸収性物品であっても、中央線を目安に着用者の体の中心を合わせやすくなるため、より着用させやすくなる。
【００３７】
＝＝＝本実施形態＝＝＝
＜＜＜本実施形態に係る使い捨ておむつ１について＞＞＞
本発明に係る吸収性物品として使い捨ておむつを例に挙げて実施形態を説明する。
図１は、本実施形態に係る使い捨ておむつ１（以下、「おむつ１」ともいう。）の概略斜視図である。図２は、展開状態かつ伸長状態のおむつ１を着用者の非肌側から見た概略平面図である。おむつ１の「展開状態」とは、図１のおむつ１の接合部１ｂを分離し、開いておむつ１全体を平面的に展開した状態である。おむつ１の「伸長状態」とは、おむつ１が備える各弾性部材（糸ゴム等）を伸長させることにより、おむつ１全体（製品全体）を皺がなくなるまで伸長させた状態をいい、具体的には、おむつ１を構成する各部材（例えば、後述の後胴回り部２０や前胴回り部３０、吸収性本体１０を構成するシート部材等）の寸法がその部材単体の寸法と一致又はそれに近い寸法になるまで伸長させた状態をいう。
【００３８】
本実施形態に係るおむつ１は、主に乳幼児等を着用対象とした使い捨ておむつである。
以下の説明では、おむつ１は、「縦方向」と、縦方向と交差する「横方向」と、縦方向及び横方向と交差する「前後方向」とを有する。また、図１、図２、及び図３において、横方向の左側を「一方側」とし、右側を「他方側」としている。
【００３９】
図１に示すように、おむつ１は、着用者の股下に配置して尿等の排泄物を吸収する吸収性本体１０（「股下部」ともいう。）と、着用者の背側に配置される後胴回り部２０と、着用者の腹側に配置される前胴回り部３０とを備え、吸収性本体１０が前胴回り部３０と後胴回り部２０との間に架け渡されるように配置されており、吸収性本体１０の一端部が前胴回り部３０に、他端部が後胴回り部２０に、それぞれ接合されている。
【００４０】
おむつ１は、図２に示した展開状態の縦方向の略中央位置を「股下」として二つ折りされ、横方向の一方側の端部において後胴回り部２０と前胴回り部３０とが接合部１ｂで接合されて、図１に示すように、一方側に環状の脚回り開口部（一方側脚回り開口部）ＨＬ１が設けられている。このおむつ１の係止部４０（後述）を前胴回り部３０に係止することで、環状の胴回り開口部ＨＢと、他方側に環状の脚回り開口部（他方側脚回り開口部）ＨＬ２が形成される。
【００４１】
＜吸収性本体１０＞
吸収性本体１０は、平面視略長方形をなし、図２における中心線ＡＣは吸収性本体１０の横方向における中心である。吸収性本体１０は、液体を吸収して保持する吸収体１１と、吸収体１１を着用者の肌側から覆いつつ尿等の排泄物を透過させる液透過性の表面シート１２と、吸収体１１を非肌側から覆いつつ非肌側からの液体の漏れを防ぐ液不透過性の裏面シート１３を有する。吸収体１１は、パルプ繊維等の液体吸収性繊維を平面視略砂時計形状等の所定形状に成形したものであり、その内部には高吸収性ポリマーが混入されている。なお、吸収性本体１０には、横漏れを防ぐ立体ギャザー部や脚回りのフィット性を向上させるレッグギャザー部が設けられているが、便宜上、図２等では省略している。
【００４２】
吸収性本体１０の前側（腹側）で、吸収性本体１０と前胴回り部３０とが重ねられていない領域には、吸収性本体１０の横方向における中央を示す中央線表示Ｃが設けられている。中央線表示Ｃは、前側から見て視認できる領域に、所定のインク等で非肌側に印刷した略直線であり、本実施形態においては、前胴回り部３０の下端から股下まで設けられている。
【００４３】
吸収性本体１０のうち、吸収体１１より一方側で、股下より腹側の視認可能な領域には、おむつ１の着用に際して、着用者の一方側の脚（右脚）を一方側の脚回り開口部ＨＬ１に通すことを誘導するための印である数字の１を示す第１の印１Ｍ（図１等に示す数字の１を丸で囲んだ印）と、股下側から胴回り開口ＨＢの側を示す上矢印ＡＬが設けられている。第１の印１Ｍ及び上矢印ＡＬは、非肌側に、所定のインクを用いて印刷されている。図１及び図２に示すように、上矢印ＡＬと第１の印１Ｍとを重ねた状態で表示しており、具体的には、上矢印ＡＬの中に第１の印１Ｍが示されている。
【００４４】
また、腹側の吸収性本体１０の上部で、前胴回り部３０より下側には「まえ」の文字を表示し、背側の吸収性本体１０の上部で、後胴回り部２０より下側には、「うしろ」の文字を、それぞれ非肌側に表示して、おむつ１の前後方向をわかりやすくなるようにしている。
【００４５】
中央線表示Ｃ、第１の印１Ｍ及び上矢印ＡＬによって誘導されたおむつ１の着用方法については、後述する。
【００４６】
＜後胴回り部２０＞
後胴回り部２０は、着用者の肌側に位置する肌側部材２１と、非肌側に位置する非肌側部材２２と、肌側部材２１と非肌側部材２２の間に位置する複数の糸ゴム（弾性部材）２３を有する。肌側部材２１と非肌側部材２２は、それぞれ不織布等の柔軟なシート部材であり、糸ゴム２３は、後胴回り部２０の横方向への伸縮性を付与するもので、複数の糸ゴム２３が横方向に沿って、縦方向に所定の間隔を空けて配置され、接着剤等で固定されている。
【００４７】
図２に示すように、糸ゴム２３は、後胴回り部２０の上端部において、後胴回り部２０の一方側の横端から他方側の横端まで連続して配置されている。後胴回り部２０と吸収体１１とが重なる領域であって、後胴回り部２０の縦方向の中央部から下部領域にかけては、糸ゴム２３は配置されておらず、吸収体１１より横方向の外側の領域に略平行に複数の糸ゴム２３が配置されている。この糸ゴム２３は、吸収体１１と重なる位置に配置されていてもよく、吸収体１１の横方向の端部と重なる位置に糸ゴム２３を配置し、吸収体１１の横方向の中央部に糸ゴム２３を配置しないものであってもよい。
【００４８】
図２において、中心線ＲＣは、後胴回り部２０の横方向の中心を示しており、着用者が一方の脚を脚回り開口部ＨＬ１に通した状態において、着用者の体の略中心に位置する中心線ＢＣでもある。このとき、中心線ＢＣ（ＲＣ）は、中心線ＡＣよりも横方向において距離ｄだけ他方側（図２の右側）にずれている。このように、吸収性本体１０の横方向における中心と、後胴回り部２０の横方向における中心とをずらすことによって、おむつ１を着用させる際に後胴回り部２０に設けられた係止部４０を横方向の他方側に引っ張り、糸ゴム２３を伸長させた場合でも、横方向において、吸収性本体１０の中心と着用者の身体の略中心とを一致させやすくできる。
【００４９】
図３は、弾性領域Ｘ、Ｙについて説明する図である。後胴回り部２０の上端部のうち、一方側に設けられた接合領域２０１の横方向の内側の横端から、他方側に設けられた接合領域２０２の横方向の内側の横端までの領域であって、糸ゴム２３が配置されている領域を弾性領域Ｘという。なお、接合領域２０１は、後述の接合領域３０１と接合すると、第１接合部１ｂを形成し、接合領域２０２は、係止部４０と接合して第２接合部２ｂを形成する。図３において、弾性領域Ｘを左斜め下がりの斜線で示しており、便宜上、接合領域２０１、２０２の斜線は省略している。上述のように、糸ゴムは、後胴回り部２０の両横端に渡って配置されているが、接合領域２０１、２０２より横方向の横方向の外側の部分の伸縮力は、実質的に発現しない。この弾性領域Ｘの一方側の横端Ｘ１から吸収性本体１０の中心線ＡＣまでの距離を距離Ｌ１とし、弾性領域Ｘの他方側の横端Ｘ２から吸収性本体１０の中心線ＡＣまでの距離を距離Ｌ２とすると、距離Ｌ１は距離Ｌ２より小さい（Ｌ１＜Ｌ２）。
【００５０】
後胴回り部２０の他方側の端部には、係止部４０が第２接合部２ｂで接合されている。係止部４０は、後胴回り部２０及び前胴回り部３０と同様に不織布等の柔軟なシート部材からなり、本実施形態では、不織布を２枚張り合わせたものである。係止部４０を、前胴回り部３０の係止部材３４（後述）に引っ掛けて、係止部４０を前胴回り部３０に係止する。
【００５１】
係止部４０には、係止部４０を前胴回り部３０に係止することを誘導するための印である数字の２を示す第２の印２Ｍ（図１等に示す数字の２を丸で囲んだ印）と、接合部２ｂ側から係止部４０の先端の側を指す横矢印ＡＢが、肌側に設けられている。第２の印２Ｍと横矢印ＡＢは、第１の印１Ｍ及び上矢印ＡＬと同様に、所定のインクを用いて肌側に印刷したものである。なお、図２は、非肌側から見た平面図であるため、本来であれば第２の印２Ｍ及び横矢印ＡＢの視認が困難であるが、係止部４０の素材が不織布であるため、肌側に印刷した第２の印２Ｍ及び横矢印ＡＢを、非肌側から視認することができる。第２の印２Ｍ及び横矢印ＡＢによって誘導されたおむつ１の着用方法については、後述する。
【００５２】
＜前胴回り部３０＞
前胴回り部３０は、着用者の肌側に位置する肌側部材３１と、非肌側に位置する非肌側部材３２と、肌側部材３１と非肌側部材３２の間に位置する複数の糸ゴム（弾性部材）３３を有する。肌側部材３１と非肌側部材３２は、それぞれ不織布等の柔軟なシート部材である。糸ゴム３３は、前胴回り部３０の横方向への伸縮性を付与する弾性部材であり、複数の糸ゴム３３が、縦方向に所定の間隔を空けて配置され、接着剤等で固定されている。
【００５３】
図２及び図３に示すように、糸ゴム３３は、吸収体１１より横方向の一方側に設けられており、弾性領域Ｙは糸ゴム３３が配置されている領域をいう。図３において、弾性領域Ｙを右斜め下がりの斜線で示しており、便宜上、接合領域３０１の斜線は省略している。なお、接合領域３０１は、接合部１となる領域であり、伸縮力を発現しないため、弾性領域Ｙは、接合領域３０１の横方向の内側の横端から、糸ゴム２３の他方側の端までの領域をいう。糸ゴム３３は、吸収体１１と重なる位置に設けられていてもよい。例えば、吸収体１１の横方向の一方側の端部と重なる位置に糸ゴム３３を配置し、吸収体１１の横方向の中央部には糸ゴム３３を配置しないものであってもよい。
【００５４】
前胴回り部３０の上端部には、下側へ向かって円弧状に窪んだ凹部３５が横方向の中央部に設けられている。凹部３５によって、着用者である乳幼児（特に新生児）の湿潤した臍（へそ）や臍に取り付けられた出血防止等のためのクリップが前胴回り部３０にあたってしまう恐れを回避することができる。
【００５５】
前胴回り部３０の非肌面側には、係止部材３４と、係止部４０を係止すべき位置に誘導するための表示である係止位置表示Ｐが設けられている。係止位置表示Ｐについては、後述する。
【００５６】
係止部材３４は、前胴回り部３０に所定の固着手段で固定された係止用の部材であり、具体的には、非肌面側に複数の係止用突起（不図示）を備えた面ファスナーである。係止部材３４の係止用突起を、係止部４０の不織布の繊維に引っ掛けることにより、係止部４０が前胴回り部３０に係止される。
【００５７】
＜＜＜おむつ１の着用方法について＞＞＞
おむつ１の着用方法について説明する。以下、着用させる者（保護者等）が着用者（乳幼児等）におむつ１を着用させる方法について図４Ａ〜図４Ｃを用いて説明する。図４Ａ〜図４Ｃに示すおむつ１は、概略図であり、寸法等は必ずしも正確ではない。
【００５８】
おむつ１を着用者（乳幼児等）に着用させる際には、まず、おむつ１の一方側の脚回り開口ＨＬ１に着用者の一方側の脚を通して、おむつ１を胴回り開口ＨＢ側に引き上げる。図４Ａは、一方側の脚を入れて上側に引き上げた状態を説明する図である。
【００５９】
着用させる者は、おむつ１（図１参照）を包装状態から取り出し、一方側の脚回り開口部ＨＬ１の周囲に表示された第１の印１Ｍを視認することで、まず、脚回り開口ＨＬ１に着用者の一方側の脚（図４Ａにおける着用者の右脚）を通すことを認識することができる。また、おむつ１には、一方側の脚回り開口部ＨＬ１の周囲に設けられた第１の印１Ｍと、係止部４０に設けられた第２の印２Ｍが表示されており、第２の印２Ｍが示す数より第１の印１Ｍが示す数が小さいため、着用させる者は、着用者の脚を脚回り開口部ＨＬ１に通すことの方が、係止部４０の操作より先にすべきことであると認識することができる。図４Ａにおいては、着用者の一方側の脚である右脚を一方側の脚回り開口部ＨＬ１に通して、おむつ１を上側に引き上げた状態を示している。このとき、中央線Ｃの前胴回り部側（上側）の上端が一方側に位置し、右斜め下がりの略直線となっている。
【００６０】
おむつ１の腹側には「まえ」、背側には「うしろ」と表示されているため、着用者はおむつ１の前後を間違えることなく着用させることができる。また、第１の印１Ｍと第２の印２Ｍは、おむつ１を前側から視認した際に認識できる位置に設けられているため、着用させる者は、まず着用者の脚を通すこと、その後に係止部４０を操作するということを認識しやすくなっている。
【００６１】
通常のパンツ型のおむつやテープ型のおむつの使用方法は一般に広く知られているが、おむつ１のように、一方側がパンツ型のおむつの形状で、他方側がテープ型のおむつの形状を有する吸収性物品は、使用方法が広く知られていないため、着用させる者が誤った方法で着用させてしまう恐れがある。例えば、パッケージから取り出したおむつ１を手にしたときに、誤って係止部４０を係止させてから着用者の一方の脚を通してしまったりする恐れがある。また、胴回り開口ＨＢと脚回り開口部ＨＬ１、ＨＬ２を区別せずに、一方側脚回り開口部ＨＬ１に着用者の胴回りを通してしまったりする恐れもある。そのため、着用させる者が誤った着用方法でおむつ１を着用させると、排泄物が漏れてしまったり、着用者に違和感を生じさせたりしてしまう恐れがある。
【００６２】
この点、本実施形態のおむつ１は、まず、パンツ型の形状を有する横方向における一方側の脚回り開口部ＨＬ１に着用者の脚を通すことを第１の印１Ｍで示しているため、おむつ１の着用方法を知らない人であっても、おむつ１を正しい順序で着用させやすくなり、おむつ１を正しい着用状態に導くことが可能となる。
【００６３】
さらに、おむつ１には、第１の印１Ｍとともに上矢印ＡＬが表示されている。この上矢印ＡＬを見た着用させる者は、脚回り開口部ＨＬ１に着用者の一方側の脚を入れて、矢印が指す上側へおむつ１を引き上げることを認識しやすくなる。また、第１の印１Ｍは上矢印ＡＬの矢印形状の中に表示されており、第１の印１Ｍと上矢印ＡＬが重なっているため、着用させる者は、着用させる順序と着用させる方向を一緒に確認することができ、着用方法をより認識しやすくなっている。
【００６４】
続いて、着用させる者は、係止部４０を操作する。図４Ｂは、係止部４０を横方向に引っ張った状態を説明する図である。図４Ｃは、おむつ１を着用した着用状態を説明する図である。第２の印２Ｍの数字が示す数（２）は、着用者の一方側の脚を脚回り開口部ＨＬ１に通すことを誘導するための数字が示す数（１）よりも大きな数であり、連続した数字である。これにより、着用させる者は、第２の印２Ｍによって示された数である２が、第１の印１Ｍによって示された数である１に続く数字であるため、第１の印１Ｍによる誘導の後に、数字の２を示す第２の印２Ｍに自然に視線が向きやすくなる。
【００６５】
係止部４０の第２の印２Ｍと、係止部４０の先端側を指した横矢印ＡＢを見た着用させる者は、係止部４０を掴み、横矢印ＡＢが示す方（図４Ｂにおいては、他方側）へ、係止部４０を引っ張るということを認識できる。これによって、後胴回り部２０の糸ゴム２３が伸長され、係止部４０が係止された図４Ｃのように、おむつ１を着用者の身体にフィットさせることができる。
【００６６】
前胴回り部３０の面ファスナーである係止部材３４に係止部４０を引っ掛けて係止することによって、胴回り開口部、ＨＢが形成される。係止部４０は不織布で形成されているため、係止部４０のどの部分を係止部材３４に接触させても係止をすることはできるが、おむつ１には、前胴回り部３０の他方側の端部に、係止部４０の外形形状を表した係止位置表示Ｐを設けている。
【００６７】
係止位置表示Ｐは、係止部４０を係止すべき位置を示しており、前胴回り部３０の上端部の、中心線ＢＣより他方側に、所定のインクを用いて印刷されている。おむつ１においては、係止部４０の外形形状の一部を点線で表したものであり、係止部４０の外形形状のうち、先端部側の形状を表しており、接合部２ｂ側の一部を省略した形状である。
【００６８】
係止位置表示Ｐの表示位置は、係止部４０を係止位置表示Ｐに合わせて係止することによって、胴回り開口部、ＨＢの環状が予め定められた周長となるように決められた位置である。つまり、係止部４０を係止位置表示Ｐに合わせて係止することで、一定の周長の胴回り開口部、ＨＢが形成されることになる。予め定められた周長を有する胴回り開口部、ＨＢとすることで、糸ゴム２３、３３の伸縮に応じてパンツ型のおむつのように着用者の身体にフィットさせることができる。通常、テープ型のおむつは、テープ（係止部）の係止位置によって胴回り開口部、ＨＢの周長を調整するが、おむつ１については、横方向において、前胴回り部３０は一方側端部に、後胴回り部２０は略全域にそれぞれ糸ゴム２３、３３が配置されているため、係止部４０の係止位置を誤ると、胴回り部ＨＢが小さくなりすぎて、着用者の腹部を過度に圧迫してしまったり、胴回り部ＨＢが大きくなりすぎて、着用者の腹部にフィットせず、おむつ１が落ちてしまったりする恐れがある。これに対し、おむつ１は、予め係止部４０を係止する位置が特定されているため、着用者の身体に適度にフィットさせることができる。また、係止位置表示Ｐを係止部４０の外形形状とすることで、着用させる者は、係止部４０の輪郭を、係止位置表示Ｐの表示形状に合わせればよいため、係止しやすくなる。係止位置表示Ｐに係止部４０の外形が一致するように係止すると、おむつ１の胴回り開口部、ＨＢが予め定められた周長となるため、おむつ１を着用者に適切に着用させることができる。
【００６９】
さらに、係止部４０を係止部材３４に係止させる際に、中央線表示Ｃを目安としておむつ１の横方向の中心と、着用者の身体の横方向の中心を合わせることができる。図４Ａにおいては、中央線表示Ｃは、着用者の身体の横方向の中心より一方側に位置していたが、係止部４０の係止の際に、前胴回り部３０を他方側に引っ張ることで、図４Ｂに示すように、前胴回り部３０の糸ゴム２３が伸長し、中央線表示Ｃと着用者の身体の横方向の中心を合わせることができる。具体的には、着用させる者は、左手で前胴回り部３０の他方側の端部を他方側に引っ張って、中央線表示Ｃが着用者の身体の横方向の中心と略平行になるように、中央線表示Ｃと着用者の身体の横方向の中心（臍）を合わせ、その状態のまま右手で係止部４０を他方側へ引っ張り、そして、係止部４０を係止部材３４に係止させる。おむつ１は、左右非対称な形状を有し（図２）、着用時に横方向の位置を合わせづらい場合があるが、中央線表示Ｃを設けることで、着用者の身体の横方向の中心とおむつ１の吸収性本体１０の中心とを合わせやすくなり、着用者に違和感を生じさせる恐れを軽減し、排泄物が漏れる恐れも軽減させることができる。
【００７０】
係止部４０を所定位置に係止することで、図４Ｃに示すように、環状の胴回り開口部、ＨＢと他方側の環状の脚回り開口部ＨＬ２が形成される。また、着用者の胴回りは、前胴回り部３０の糸ゴム３３と後胴回り部２０の糸ゴム２３の収縮によって着用者の身体にフィットさせることができるため、パンツ型のおむつと同様の使用感を得ることができる。
【００７１】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【００７２】
上述の実施形態では、係止部４０は不織布等のシート部材であり、前胴回り部３０に面ファスナーである係止部材３４を設けたが、これに限られない。係止部４０に面ファスナーを備えて、前胴回り部３０の不織布等のシート部材からなるターゲット領域（不図示）を設けて、係止部４０をターゲット領域に係止させる等の変更が可能である。また、係止部４０は、不織布のみからなる部材である必要はなく、不織布とフィルム等のシート部材を重ね合わせたものであってもよい。例えば、フィルムシートを不織布で挟んだ構成のものであってもよく、使用用途や強度の調整等に応じて、適宜変更が可能である。
【００７３】
上述の実施形態では、第１の印１Ｍに加えて、第２の印２Ｍ、上矢印ＡＬ、横矢印ＡＢ、中央線表示Ｃを表示したが、この限りではない。第１の印１Ｍを表示することによって、着用させる者は、着用作業の糸口となる着用者の脚を通すことを認識することができるため、必ずしも第２の印２Ｍ、上矢印ＡＬ、横矢印ＡＢ、中央線表示Ｃを表示しなくてもよい。しかし、第２の印２Ｍを表示することによって、着用者の脚を通した後に係止部４０を操作することを認識することができる。また、上矢印ＡＬを表示することによって、おむつ１を引き上げる方向を認識することができ、横矢印ＡＢによって、係止部４０の操作方向を認識することができる。また、中央線表示Ｃを表示することで、おむつ１をより正しい位置で着用させることが可能となる。
【００７４】
さらに、図５に示すように、係止部４０に表示した第２の印２Ｍと同じ印を、係止される側の前胴回り部３０に表示してもよく、係止部４０に、係止部４０を係止部材３４に誘導するための係止部材位置表示Ｒを設けてもよい。図５は、別の実施形態のおむつ１００を説明する図である。
【００７５】
おむつ１００は、おむつ１と基本的な構成は同じである。おむつ１００には、おむつ１と同様に、腹側の脚回り開口部ＨＬ１の周囲に第１の印１Ｍが表示され、係止部４０に第２の印２Ｍが表示されている。なお、おむつ１００には、上矢印ＡＬ、横矢印ＡＢ、及び中央線表示Ｃは表示されていない。
【００７６】
おむつ１００の前胴回り部３０の係止部材３４には、係止部４０に表示された第２の印２Ｍと同じ印である第３の印２Ｍを表示している。このとき、係止部材３４に表示された第３の印２Ｍの表示位置は、係止部４０を係止部材３４に表示された第３の印２Ｍの表示位置に合わせて係止すると、胴回り開口部、ＨＢの環形状が予め定められた周長となるように決められた位置である。このように、第２の印２Ｍ、第３の印２Ｍが係止部４０と係止部材３４の両方に示されていることで、着用させる者は、係止部４０を係止すべき場所である係止部材３４の位置を認識しやすくなり、係止部４０を正しい位置に係止させやすくなり、着用者におむつ１を正しい状態で着用させやすくなる。なお、図５においては、順序を示す数字を表した第２の印２Ｍと第３の印２Ｍを合わせることにしたが、これに限られない。第２の印２Ｍ、第３の印２Ｍとは別のイラスト等の図柄を用いて、同じ図柄同士を合わせるようにしてもよい。
【００７７】
さらに、おむつ１００の係止部４０には、係止部材３４が設けられている位置に係止部４０を係止させるように誘導するための係止部材位置表示（第４の印）Ｒを表示している。この係止部材位置表示Ｒは、係止部材３４の外形形状を点線で表したものである。また、係止部４０が不織布で形成されているため、係止部材位置表示Ｒは、肌側からも非肌側からも視認可能である。そのため、係止部４０を係止部材３４に係止しようとする際、最初は、肌側から係止部材位置表示Ｒを確認しながら係止部４０を誘導し、最終的に、係止部４０と係止部材３４を係止するときには、非肌側から係止部材位置表示Ｒを確認しながら係止作業を行うことができるため、正しい位置に係止を行うことができるため、着用者を適切な着用状態にすることができる。
【００７８】
また、上述の実施形態では、着用者の一方側の脚を通すことを誘導する第１の印１Ｍを一方側の脚回り開口部ＨＬ１の周囲に設けたが、これに限られない。図６に示すように、第１の印１Ｍをおむつ２００の横方向における一方側に設けることで、着用者の一方側の脚を一方側の脚回り開口部ＨＬ１に通すことを誘導することができる。図６は、別の実施形態のおむつ２００を説明する図である。おむつ２００においては、前胴回り部３０の一方側の非肌側に第１の印１Ｍが表示され、第１の印１Ｍの傍に上矢印ＡＬが表示されている。これを見た着用させる者は、おむつ２００を胴回り開口部ＨＢ側に引き上げる前に着用者の一方側の脚を一方側の脚回り開口部ＨＬ１に通す必要があることを認識でき、正しい方法でおむつ２００を着用者に着用させることができる。
【００７９】
おむつ２００は、前胴回り部３０の他方側であって、係止部材３４が設けられた位置には、係止部４０に設けられた第２の印２Ｍと同じ数である数字の２を示す第３の印２Ｍが設けられている。さらに、おむつ２００の前胴回り部３０の他方側には、係止部４０に設けられた横矢印ＡＢと反対方向を示す、つまり、前胴回り部３０の他方側から一方側を示す横矢印ＡＳが設けられている。係止部４０の第２の印２Ｍと前胴回り部３０の第３の印２Ｍとを重ね合わせ、横矢印ＡＢと横矢印ＡＳが同じ方向を指すように合わせて、係止部４０を係止部材３４に係止すると、胴回り開口部ＨＢが形成される。
ただし、上矢印ＡＬ、及び横矢印ＡＢ、ＡＳを表示しなくてもよい。
【００８０】
このおむつ２００の胴回り部３０の一方側に設けられた第１の印１Ｍが示す数字の１と、他方側に設けられた第２の印２Ｍが示す数字の２は、異なる数字であるため、一方側に施す操作と他方側に施す操作とが異なることを知ることができる。また、第２の印２Ｍが示す数字の方が大きいため、着用させる者は、一方側に設けられた第１の印１Ｍによって、まず一方側の操作を行い、続いて、他方側に設けられた第２の印２Ｍによって、係止部４０の係止操作を行うということを知ることができる。
【００８１】
さらに、一般的なテープ型のおむつの場合、前胴回り部の一方側と他方側の両方にそれぞれ、横方向の内側から外側に向かって「１」「２」「３」というように係止部の係止位置の目安となる数字が設けられている。つまり、前胴回り部の横方向の中心に対して、対称となるように数字が配置されている。しかし、おむつ２００においては、一方側には数字の１を示す第１の印１Ｍのみが設けられ、他方側には数字の２を示す第２の印２Ｍのみが設けられているため、おむつ２００の着用方法が左右で異なる操作が必要であることを外観から認識することができる。
また、第１の印１Ｍが配置されている側である一方側には係止部４０は設けられておらず、第２の印２Ｍが配置されている側である他方側にのみ係止部４０が設けられているから、一般的なテープ型のおむつを着用させるときのように両側から係止部４０を引っ張ることはできない。したがって、この点でも、おむつ２００の着用方法が通常と異なることを認識させることができる。
さらに、他方側に配置された係止部４０を強く引っ張って他方側に配置された第１の印１Ｍに合わせようとしても、第１の印１Ｍが配置されている部分には係止部材３４が設けられておらず、係止部４０を前胴回り部に係止させることができない。したがって、これによっても、おむつ２００の着用方法が通常と異なることを認識させることができる。
【００８２】
なお、上述の実施形態では、着用順序を示す印として、数字の１を表す第１の印１Ｍ、数字の２を表す第２の印２Ｍを用いたが、これに限られない。アラビア数字やローマ数字等の数字や、「Ａ、Ｂ、Ｃ・・・」等の標記を用いることができる。
【００８３】
また、上述の実施形態では、着用者の一方側の脚を通させることを１番目とし、係止部４０を操作することを２番目としたが、これに限られない。例えば、着用者の一方側の脚を通すことを誘導する第１の印１Ｍと、着用者の一方側の脚を通した後で、係止部４０の操作より前に他の作業を行うことを誘導する印として数字の２を丸で囲んだ印と、係止部４０を操作することを誘導する第２の印２Ｍ（数字の３を丸で囲んだ印）を表示してもよい。
【００８４】
上述の実施形態では、第１の印１Ｍ、上矢印ＡＬ、第２の印２Ｍ、横矢印ＡＢ、中央線表示Ｃ、係止位置表示Ｐ、係止部材位置表示Ｒは、所定のインクで印刷されたものであったが、これに限られない。着用時において、着用させようとする保護者等が視認できるものであればよく、シール等を貼付したものであってもよい。
【００８５】
さらに、上述の実施形態では、上矢印ＡＬの中に第１の印１Ｍを表示して、上矢印ＡＬに第１の印１Ｍの全部が重なった状態で表示することにしたが、これに限られない。上矢印ＡＬは、第１の印１Ｍが誘導している着用者の一方側の脚を通すことに続いて、上方向へ引き上げることを誘導する印である。そのため、上矢印ＡＬは第１の印１Ｍとほぼ同時に着用させる者の目に留まるように、上矢印ＡＬが第１の印１Ｍの少なくとも一部と重なっていることがより好ましい。
【００８６】
上述の実施形態では、中央線表示Ｃを１つの略直線で表示することにしたが、これに限られない。中央線表示Ｃは、複数本の略直線で構成してもよいし、点線等にラインタイプを変更してもよい。
【００８７】
また、中央線表示Ｃは、上述の実施形態においては、前胴回り部３０の下端から股下まで設けられているがこれに限られない。前側から見て視認できる領域に、吸収性本体１０の横方向の中央部に沿った中央線を一部分に表示しているものであってもよい。
【００８８】
上述の実施形態では、係止位置表示Ｐについて、係止部４０の外形形状の一部を表したがこれに限られない。係止部４０の外形形状の全体を示すものであってもよい。なお係止位置表示Ｐは、着用させる者が、係止位置表示Ｐを見て、「係止部４０の形状である」と認識できる形状を表示することがより好ましい。
【００８９】
上述の実施形態では、第１の印１Ｍ、第２の印２Ｍ、上矢印ＡＬ、横矢印ＡＢ、中央線表示Ｃ、係止位置表示Ｐについて、特に表示の色について記載はしなかったが、これらの表示は適宜表示色を選択することができる。おむつ１の素材の色や、表示すべき項目の強弱に応じて選択することができ、単色であっても、複数色であってもよい。
【符号の説明】
【００９０】
１、１００、２００  おむつ（使い捨ておむつ、吸収性物品）、
１ｂ  第１接合部、２ｂ  第２接合部、
１０  吸収性本体（股下部）、１１  吸収体、
２０  後胴回り部、２３  糸ゴム（弾性部材）、
３０  前胴回り部、３３  糸ゴム（弾性部材）、３４  係止部材、３５  凹部、
４０  係止部、
２０１、２０２  接合領域、
１Ｍ  第１の印、２Ｍ  第２の印、第３の印、
ＡＬ  上矢印、ＡＢ  横矢印、ＡＳ  横矢印、
Ｃ  中央線表示、Ｐ  係止位置表示、Ｒ  係止部材位置表示（第４の印）、
ＨＢ  胴回り開口部、
ＨＬ１  脚回り開口部（一方側脚回り開口部）、
ＨＬ２  脚回り開口部（他方側脚回り開口部）
【図１】
2018068898.tif 000003
【図２】
2018068898.tif 000004
【図３】
2018068898.tif 000005
【図４】
2018068898.tif 000006
【図５】
2018068898.tif 000007
【図６】
2018068898.tif 000008